(57)【要約】【課題】前側または後ろ側の覆い片を開いたときに、開いた覆い片が用便などの邪魔にならないように反対側へ回して簡単に取り付けることができるようにした介護用パンツを提供する。【解決手段】介護用パンツＡ１のベルト部１の前後下側には面ファスナ１０、１０ａが設けられている。右側片２と左側片２ａの前側には右脚前片３と左脚前片３ａ及び前側覆い片３０が設けられている。前側覆い片３０の先端辺には面ファスナ３１が設けられている。前側覆い片３０と右側片２及び左側片２ａとはスライドファスナ５によって着脱可能である。右側片２と左側片２ａの後部側には、右脚後片４と左脚後片４ａ及び後側覆い片４０が設けられている。後側覆い片４０の先端辺には面ファスナ４１が設けられている。後側覆い片４０と右側片２及び左側片２ａとはスライドファスナ５によって着脱可能である。【選択図】図１
2008138330.tif 000002
【特許請求の範囲】
【請求項１】
股の部分を挟んで、前側に前側覆い片(30)、後側に後ろ側覆い片(40)を有するパンツであって、
前記前側覆い片(30)及び後ろ側覆い片(40)は、下側がパンツ主体と繋がっており、上側となる腹部及び背中側にそれぞれ覆い片側の取着具(31,41)を有し、それぞれ対応するパンツ主体側の取着具(10,10a)に取着することによってパンツ主体に取り外し可能に設けてあり、
前記前側覆い片(30)及び後ろ側覆い片(40)を、それぞれ取り付け箇所から取り外すことで、パンツには開口部(39,49)が形成されるものであり、取り外した前側覆い片(30)または後ろ側覆い片(40)は、股の部分を通って反対側に移行させて、前側覆い片(30)の取着具(31)は後ろ側覆い片(40)の取着具(41)またはパンツ主体側の取着具(10a)に、後ろ側覆い片(40)の取着具(41)は前側覆い片(30)の取着具(31)またはパンツ主体側の取着具(10)に、それぞれ取着できる、
パンツ。
【請求項２】
股の部分を挟んで、前側に前側覆い片(30)、後側に後ろ側覆い片(40)を有するパンツであって、
前記前側覆い片(30)及び後ろ側覆い片(40)は、下側がパンツ主体と繋がっており、上側を、それぞれ対応するパンツ主体側のベルト部(1a,11)に回し掛けることによってパンツ主体に取り外し可能に設けてあり、
前記前側覆い片(30)及び後ろ側覆い片(40)を、それぞれ取り付け箇所から取り外すことで、パンツには開口部(39,49)が形成されるものであり、取り外した前側覆い片(30)または後ろ側覆い片(40)は、股の部分を通って反対側に移行させ、パンツ主体側のベルト部(1a,11)に回し掛けることによってそれぞれ取り付けることができる、
パンツ。
【請求項３】
股の部分を挟んで、前側に前側覆い片(30)、後側に後ろ側覆い片(40)を有するパンツであって、
前記前側覆い片(30)及び後ろ側覆い片(40)は、下側がパンツ主体と繋がっており、上側となる腹部及び背中側にそれぞれ覆い片側の掛止体(34,44)を有し、それぞれ対応するパンツ主体側のベルト部(1a,11)に掛けることによってパンツ主体に取り外し可能に設けてあり、
前記前側覆い片(30)及び後ろ側覆い片(40)を、それぞれ取り付け箇所から取り外すことで、パンツには開口部(39,49)が形成されるものであり、取り外した前側覆い片(30)または後ろ側覆い片(40)は、股の部分を通って反対側に移行させ、掛止体(34,44)をパンツ主体側のベルト部(1a,11)に掛けることによってそれぞれ取り付けることができる、
パンツ。
【発明の詳細な説明】
【技術分野】
【０００１】
本発明はパンツに関するものである。更に詳しくは、股の部分を挟んで、前側に前側覆い片、後側に後ろ側覆い片を有するパンツにおいて、前側覆い片または後ろ側覆い片を開いたときに、開いた覆い片が用便などの邪魔にならないように反対側へ回して簡単に取り付けることができるようにした介護用パンツに関する。
【背景技術】
【０００２】
身体が不自由な身体障害者や高齢者は、例えば便器に座って用便をする際にも介護が必要な場合がある。このときの介護者の負担を減らすため、あるいは被介護者がある程度動くことができる場合は被介護者自身の負担を減らすために、前部と後部の両方を開くことができる介護服が使用されている（特許文献１参照）。
特許文献１記載の介護服は、ズボン部を有し、ズボン部の股上部または尻部の少なくとも一方側が着脱可能になっており、股上部または尻部を取り外した部分に窓部が形成されるようになっている。
【０００３】
【特許文献１】特開２００２−２０９１０
【発明の開示】
【発明が解決しようとする課題】
【０００４】
しかしながら、前記特許文献１の介護服には、実際の使用において使いにくいという課題があった。すなわち、ズボン部の窓部から取り外された股上部または尻部は、他の部分に固定されるようにはなっていないために、垂れ下がるなどして用便の際の邪魔になる。したがって、股上部または尻部を手で押さえたり握ったりして邪魔にならないようにしなければならず使いにくい。特に、被介護者がある程度動くことができて、不自由ながらも自分自身で用便をする場合は、この使いにくさが顕著である。また、被介護者が横臥状態で介護者の助けを借りて用便をしたり、用便後の始末をしてもらう場合も、前記股上部または尻部が固定できない状態では、それらが邪魔になる点は同様である。
【０００５】
そこで、本発明の目的は、股の部分を挟んで、前側に前側覆い片、後側に後ろ側覆い片を有するパンツにおいてにおいて、各覆い片を開いたときに、開いた覆い片が用便などの邪魔にならないように反対側へ回して簡単に取り付けることができるようにしたパンツを提供することである。
【課題を解決するための手段】
【０００６】
上記課題を解決するために本発明が講じた手段は次のとおりである。
本発明は、
股の部分を挟んで、前側に前側覆い片、後側に後ろ側覆い片を有するパンツであって、
前記前側覆い片及び後ろ側覆い片は、下側がパンツ主体と繋がっており、上側となる腹部及び背中側にそれぞれ覆い片側の取着具を有し、それぞれ対応するパンツ主体側の取着具に取着することによってパンツ主体に取り外し可能に設けてあり、
前記前側覆い片及び後ろ側覆い片を、それぞれ取り付け箇所から取り外すことで、パンツには開口部が形成されるものであり、取り外した前側覆い片または後ろ側覆い片は、股の部分を通って反対側に移行させて、前側覆い片の取着具は後ろ側覆い片の取着具またはパンツ主体側の取着具に、後ろ側覆い片の取着具は前側覆い片の取着具またはパンツ主体側の取着具に、それぞれ取着できる、パンツである。
【０００７】
本発明は、
股の部分を挟んで、前側に前側覆い片、後側に後ろ側覆い片を有するパンツであって、
前記前側覆い片及び後ろ側覆い片は、下側がパンツ主体と繋がっており、上側を、それぞれ対応するパンツ主体側のベルト部に回し掛けることによってパンツ主体に取り外し可能に設けてあり、
前記前側覆い片及び後ろ側覆い片を、それぞれ取り付け箇所から取り外すことで、パンツには開口部が形成されるものであり、取り外した前側覆い片または後ろ側覆い片は、股の部分を通って反対側に移行させ、パンツ主体側のベルト部に回し掛けることによってそれぞれ取り付けることができる、パンツである。
【０００８】
本発明は、
股の部分を挟んで、前側に前側覆い片、後側に後ろ側覆い片を有するパンツであって、
前記前側覆い片及び後ろ側覆い片は、下側がパンツ主体と繋がっており、上側となる腹部及び背中側にそれぞれ覆い片側の掛止体を有し、それぞれ対応するパンツ主体側のベルト部に掛けることによってパンツ主体に取り外し可能に設けてあり、
前記前側覆い片及び後ろ側覆い片を、それぞれ取り付け箇所から取り外すことで、パンツには開口部が形成されるものであり、取り外した前側覆い片または後ろ側覆い片は、股の部分を通って反対側に移行させ、掛止体をパンツ主体側のベルト部に掛けることによってそれぞれ取り付けることができる、パンツである。
【０００９】
本明細書及び特許請求の範囲にいう「パンツ」は、両足を別々に覆う下半身用の外衣であり、ズボンやスラックスなどを含むものである。
本明細書及び特許請求の範囲にいう「取り付け箇所から取り外す」の記載は、覆い片全体が分離するように取り外れるのではなく、一部がつながったままで、取り付けられていた部分だけを取り外すという意味である。
【００１０】
（作用）
本発明のパンツの作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１１】
パンツは、ズボンなどの一般のパンツと同様に着用して使用される。パンツを着用した被介護者が、歩行が可能であるなど、ある程度動くことができて、不自由ながらも自分自身で用便をすることができる場合は、次のような作用になる。
まず、被介護者が洋式の便器前に立ち、例えば後ろ側覆い片(40)を取り付け部から取り外して後部側に開口部(49)を形成する。そして、後ろ側覆い片(40)を股下から前部側へ回し、取着具(10,41)によって取り付ける。
【００１２】
この取り付けは、取着具によるものの他、面ファスナなどを使用した接着や、ベルト部への回し掛け、あるいはフックなどの掛止体をベルト部に掛けるなど、取り付ける操作と取り付け状態を解除する操作を簡単に行うことができる各種着脱手段で行うことができる。なお、着脱手段はこれらに限定するものではなく、例えばボタンやホックなどの採用も可能である。
【００１３】
このように、後ろ側覆い片(40)が邪魔にならないように前部側に取り付け、この状態で被介護者は便器に座り、用便をすることができる。用便が済んだら、立ち上がり、前部側での後ろ側覆い片(40)の取着具(10,41)による取り付けを解除して取り外し、股下から後部側へ回して元のように取着具(10ａ,41)で取り付ける。
【００１４】
次に、被介護者が寝たきりであったり、立ち上がりや歩行が困難である場合のように、横臥した状態で介護者の助けを借りて用便をしたり、用便後の始末をしてもらう場合の作用を説明する。
介護者は、まず、横臥している被介護者が着用しているパンツの、例えば後ろ側覆い片(40)を取り付け部から取り外し、後部側に開口部(49)を形成する。そして、後ろ側覆い片(40)が作業の邪魔にならないようであれば、横に避けておくなどしてそのまま作業をしてもよいが、邪魔になるようであれば、後ろ側覆い片(40)を股下から前部側へ回し、取着具(10,41)によって取り付けておく。
【００１５】
被介護者の用便と後の処置が済んだら、前部側での後ろ側覆い片(40)の取着具(10,41)による取り付けを解除して取り外し、股下から後部側へ回して元のように取着具(10a,41)で取り付ける。
なお、前記説明では、何れも後ろ側覆い片(40)を取り外して開口させる場合で説明したが、前側覆い片(30)を取り外して開口させる場合も同様に、股下から後部側へ回して取着具(10a,31)で取り付けることができる。
【発明の効果】
【００１６】
本発明は、股の部分を挟んで、前側に前側覆い片、後側に後ろ側覆い片を有するパンツにおいて、前側覆い片または後ろ側覆い片を開いたときに、開いた覆い片を反対側へ回して簡単に取り付けることができるので、覆い片が垂れ下がるなどして用便などの邪魔になることがなく、使いやすいパンツを提供することができる。
【発明を実施するための最良の形態】
【００１７】
本発明を図に示した実施例に基づき詳細に説明する。
図１は本発明の介護用パンツの第１実施形態を示し、前後の覆い片を開いた状態の斜視図、
図２は図１の介護用パンツの前後の覆い片をほぼ閉じた状態の斜視図、
図３は図１の介護用パンツの後ろ側覆い片を開き、前方へ回して取り付ける方法を示す説明図である。
【００１８】
介護用パンツＡ１は、布で形成され、一般のズボンと同様の外観を有している。介護用パンツＡ１は、使用者の胴部を締めて介護用パンツＡ１がずれ落ちないように固定するためのベルト部１を有している。ベルト部１は、管状の挿通部に伸縮可能なゴムベルト（何れも符号省略）を挿通し内包した構造であるが、その他、後述の介護用パンツＡ２、Ａ３のベルト１ａのように、外部に露出し、胴回りに合わせた調節が可能なものを採用してもよい。
【００１９】
また、ベルト部１のうち、後述する前部開口部３９、後部開口部４９に対応する部分の下側には、それぞれ取着具である面ファスナ１０、１０ａが接着面を外側へ向けて設けられている。なお、使用している面ファスナは、いわゆる雄雌に分かれたタイプではなく、同じ構造の共用タイプなので、組み合わせを間違えて取り付けてしまう心配もなく、介護用パンツの製造がしやすくなる。
【００２０】
また、面ファスナにより強い接着強度を持たせる場合は、雌雄に分かれたタイプを採用することもできる。この場合の組み合わせは、ベルト部１の面ファスナ１０、１０ａを雄雌の一方側とし、後述する前側覆い片３０の面ファスナ３１と後側覆い片４０の面ファスナ４１を雄雌の他方側とするのが一般的であるが、他の組み合わせとして、面ファスナ１０と面ファスナ４１を雄雌の一方側とし、面ファスナ１０ａと面ファスナ３１を雄雌の他方側とすることもできる。
【００２１】
ベルト部１の両側部には、下方へ向け、下部が尖った三角形状の右側片２と左側片２ａが設けられている。右側片２と左側片２ａの前部側には、右脚前片３と左脚前片３ａが設けられ、右脚前片３と左脚前片３ａの上部側は、続いて前側覆い片３０となっている。前側覆い片３０の先端辺には、接着面を内側へ向けて、前記面ファスナ１０と接着する面ファスナ３１が設けられている。
【００２２】
また、前側覆い片３０の両側の縦辺部と右側片２及び左側片２ａとは、スライドファスナ５によって着脱可能につながれている。スライドファスナ５の長さは、右側片２と左側片２ａの前後辺の長さのうち上から約四分の三の長さ（下端の閉じ端部が膝上に位置する程度）に設定されている。そして、スライドファスナ５を開けて前側覆い片３０が取り付けられていた部分を取り外すことにより、前部側に開口部３９が形成される。
【００２３】
さらに、右側片２と左側片２ａの後部側には、右脚後片４と左脚後片４ａが設けられ、右脚後片４と左脚後片４ａの上部側は、続いて後側覆い片４０となっている。後側覆い片４０の先端辺には、接着面を内側へ向けて、前記面ファスナ１０ａと接着する面ファスナ４１が設けられている。また、後側覆い片４０の両側の縦辺部と右側片２及び左側片２ａとは、スライドファスナ５によって着脱可能につながれている。そして、スライドファスナ５を開けて後側覆い片４０が取り付けられていた部分を取り外すことにより、後部側に開口部４９が形成される。
【００２４】
（作用）
図１ないし図３を参照して介護用パンツＡ１の作用を説明する。
介護用パンツＡ１は、一般のズボンと同様の外観を有しており、ズボンと同様に着用して違和感なく使用することができる。ここでは、まず、被介護者が歩行が可能であるなど、ある程度動くことができて、不自由ながらも自分自身で便器に座って用便をすることができる場合で説明する。
【００２５】
（１）介護用パンツＡ１を着用した被介護者が洋式の便器前に立ち、スライドファスナ５を開き、後ろ側覆い片４０を取り付けている面ファスナ１０ａと面ファスナ４１との接着を解除し、取り付け部から取り外して、後部側に開口部４９を形成させる。
【００２６】
（２）後ろ側覆い片４０を股下から前部側へ回し、前側覆い片３０を取り付けているスライドファスナ５を少し開き、さらに面ファスナ１０と面ファスナ３１との接着を一部または全部解除する。そして、面ファスナ１０のうち接着を解除した部分に後ろ側覆い片４０の面ファスナ４１を折り返して一部または全部を接着する（図３参照）。後ろ側覆い片４０は、このように反対側に回して接着が可能な長さにあらかじめ設定されている（前側覆い片３０も同様）。なお、他の方法として、後ろ側覆い片４０の面ファスナ４１を、面ファスナ１０から解除した前側覆い片３０の面ファスナ３１に接着する方法を採用することもできる。
【００２７】
（３）被介護者は、このようにして後ろ側覆い片４０が邪魔にならないように取り付けることができるので、例えば後ろ側覆い片４０を押さえたり握ったりして避けさせるような手間はかからない。被介護者は、この状態で便器に座り、用便をすることができる。
【００２８】
（４）そして、用便が済んだら、立ち上がり、前部側での後ろ側覆い片４０の前記接着による取り付けを解除して取り外し、股下から後部側へ回して面ファスナ４１を面ファスナ１０ａに接着し、さらにスライドファスナ５を閉じて元のように取り付ける。
【００２９】
なお、面ファスナ１０、１０ａ、３１、４１による接着及びその解除は、被介護者が仮に手がやや不自由な場合でも比較的簡単に行うことができる。また、前側覆い片３０を取り外して開口部３９を形成させる場合も、前記とほぼ同様に、股下から後部側へ回して取り付けることができる。
【００３０】
次に、被介護者が寝たきりであったり、立ち上がりや歩行が困難である場合のように、横臥した状態で介護者の助けを借りて用便をしたり、用便後の始末をしてもらう場合で説明する。
（１）介護者は、まず、横臥している被介護者が着用している介護用パンツＡ１の後ろ側覆い片４０を前記と同様に取り付け部から取り外し、後部側に開口部４９を形成させる。
【００３１】
（２）そして、後ろ側覆い片４０が処置などの作業の邪魔にならないようであれば、横に避けておくなどしてそのまま作業をしてもよい。しかし、後ろ側覆い片４０が邪魔になるようであれば、後ろ側覆い片４０を股下から前部側へ回し、前記と同様に接着によって取り付けておく。
（３）被介護者の用便と後の処置が済んだら、前記と同様に前部側での後ろ側覆い片４０の接着を解除して取り外し、股下から後部側へ回して元のように取り付ける。
【００３２】
このように、介護用パンツＡ１によれば、被介護者が用便をする場合などにおいて、パンツの前側または後ろ側を開いたときに、必要であれば、開いた側の前側覆い片３０または後ろ側覆い片４０を反対側へ回して簡単に取り付けることができるので、覆い片が垂れ下がるなどして用便などの邪魔になることがなく、使いやすい。
【００３３】
また、前記前側覆い片３０または後ろ側覆い片４０を開閉したり、反対側へ回して取り付けたり取り外す操作は、ベルト部１を残した状態で行うことができる。したがって、被介護者が立っているときにも、右脚前後片３、４と左脚前後片３ａ、４ａが下がらないので前記操作がしやすく、汚すこともない。
【００３４】
図４は本発明の介護用パンツの第２実施形態を示し、前後の覆い片を開いた状態の斜視図、
図５は図４の介護用パンツの前後の覆い片をほぼ閉じた状態の斜視図、
図６は図４の介護用パンツの後ろ側覆い片を開き、前方へ回して取り付ける方法を示す説明図である。
なお、本実施の形態では、図面において前記介護用パンツＡ１と同等箇所に同一符号を付して示し、構造について重複する説明は基本的に省略するか、簡単な説明に止める。
【００３５】
介護用パンツＡ２は、ベルト１ａを有している。ベルト１ａは、管状の挿通部１１に通されており、前部側において外部に露出している。ベルト１ａは、一端側の輪部に他端側を通して折り返し、面ファスナで接着できる構造（細部の符号は省略）であり、胴回りに合わせて調節が可能である。
【００３６】
右側片２と左側片２ａの前部側には、右脚前片３と左脚前片３ａが設けられ、右脚前片３と左脚前片３ａの上部側は、続いて前側覆い片３２となっている。前側覆い片３２の先端側は、開口部３９の幅より広く、ベルト１ａの位置より長く形成されている。
【００３７】
また、後部側に設けられている後ろ側覆い片４２も同様に、先端側が開口部３９の幅より広く、ベルト１ａの位置より長く形成されている。したがって、前側覆い片３２と後ろ側覆い片４２をベルト１ａに回し掛けると、前側覆い片３２と後ろ側覆い片４２は、右側片２と左側片２ａの裏側で一部が重なるようになっている（図５参照）。
【００３８】
（作用）
介護用パンツＡ２の前側覆い片３２と後ろ側覆い片４２は、通常の着用状態ではそれぞれベルト１ａ及び挿通部１１の内側から回し掛け、開口部３９、４９を塞いで取り付けられ、先端側の一部は前部側及び後部側に垂らされる（図５参照）。前側覆い片３２と後ろ側覆い片４２は、ベルト１ａ及び挿通部１１に対する回し掛けを解除し、引き抜くようにして取り外すことができる。
【００３９】
そして、例えば後ろ側覆い片４２を取り外して開口部４９を設け、後ろ側覆い片４２を股下から前部側へ回してベルト１ａ及び挿通部１１に回し掛けて取り付けるときには、外側から回し掛けるようにする（図６参照）。後ろ側覆い片４２は、このように反対側に回して回し掛けが可能な長さにあらかじめ設定されている（前側覆い片３２も同様）。
【００４０】
また、前記のように前側覆い片３２と後ろ側覆い片４２をベルト１ａ及び挿通部１１に回し掛けることによる取り付け、及びその解除が、被介護者が仮に手がやや不自由な場合でも比較的簡単に行うことができるのは、前記介護用パンツＡ１と同様である。
なお、介護用パンツＡ２の作用は、前記のように前側覆い片３２と後ろ側覆い片４２の着脱の方法や収まりが異なるだけで、他は大体において前記介護用パンツＡ１の場合と同じであるので、具体的な説明は省略する。
【００４１】
図７は本発明の介護用パンツの第３実施形態を示し、前後の覆い片を閉じた状態の斜視図である。
なお、本実施の形態では、図面において前記介護用パンツＡ２と同等箇所に同一符号を付して示し、構造について重複する説明は基本的に省略するか、簡単な説明に止める。
介護用パンツＡ３は、右側片２と左側片２ａの前部側には、右脚前片３と左脚前片３ａが設けられ、右脚前片３と左脚前片３ａの上部側は、続いて前側覆い片３３となっている。前側覆い片３３の先端側は、開口部３９の幅より広く、ベルト１ａの位置とほぼ同じになるように形成されている。そして、前側覆い片３３の先端辺には、両側の端部二箇所と前部側二箇所に掛止フック３４が設けられている。
【００４２】
また、後部側に設けられている後ろ側覆い片４３も同様に、先端側が開口部３９の幅より広く、ベルト１ａの位置とほぼ同じになるように形成されている。したがって、前側覆い片３３と後ろ側覆い片４３を、それぞれに設けられている掛止フック３４、４４をベルト１ａ及び挿通部１１に掛けると、前側覆い片３３と後ろ側覆い片４３は、前記介護用パンツＡ２の前側覆い片３２と後ろ側覆い片４２と同様に右側片２と左側片２ａの裏側で一部が重なるようになっている。
【００４３】
（作用）
介護用パンツＡ３の前側覆い片３３と後ろ側覆い片４３は、通常の使用ではそれぞれベルト１ａ及び挿通部１１に対しその内側から掛止フック３４、４４を掛け、開口部３９、４９を塞いで取り付けられる。そして、例えば後ろ側覆い片４３を取り外して開口部４９を設け、後ろ側覆い片４３を股下から前部側へ回してベルト１ａに掛けるときには、掛止フック４４を外側から掛けて取り付けるようにする。後ろ側覆い片４３は、このように反対側に回して掛止フック４４の掛止が可能な長さにあらかじめ設定されている（前側覆い片３３も同様）。
【００４４】
また、前記のようにベルト１ａに掛止フック３４、４４を掛けることによる取り付け、及びその解除が、被介護者が仮に手がやや不自由な場合でも比較的簡単に行うことができるのは、前記介護用パンツＡ１、Ａ２と同様である。
なお、介護用パンツＡ３の作用は、前記のように前側覆い片３３と後ろ側覆い片４３の着脱の方法や収まりが異なるだけで、他は大体において前記介護用パンツＡ１の場合と同じであるので、具体的な説明は省略する。
【００４５】
本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００４６】
【図１】本発明の介護用パンツの第１実施形態を示し、前後の覆い片を開いた状態の斜視図。
【図２】図１の介護用パンツの前後の覆い片をほぼ閉じた状態の斜視図。
【図３】図１の介護用パンツの後ろ側覆い片を開き、前方へ回して取り付ける方法を示す説明図。
【図４】本発明の介護用パンツの第２実施形態を示し、前後の覆い片を開いた状態の斜視図。
【図５】図４の介護用パンツの前後の覆い片をほぼ閉じた状態の斜視図。
【図６】図４の介護用パンツの後ろ側覆い片を開き、前方へ回して取り付ける方法を示す説明図。
【図７】本発明の介護用パンツの第３実施形態を示し、前後の覆い片を閉じた状態の斜視図。
【符号の説明】
【００４７】
Ａ１  介護用パンツ
１  ベルト部
１０、１０ａ  面ファスナ
２  右側片
２ａ  左側片
３  右脚前片
３ａ  左脚前片
４  右脚後片
４ａ  左脚後片
３０  前側覆い片
３１  面ファスナ
４０  後ろ側覆い片
４１  面ファスナ
５  スライドファスナ
Ａ２  介護用パンツ
１ａ  ベルト
１１  挿通部
３２  前側覆い片
４２  後ろ側覆い片
Ａ３  介護用パンツ
３３  前側覆い片
３４  掛止フック
４３  後ろ側覆い片
４４  掛止フック
【図１】
2008138330.tif 000003
【図２】
2008138330.tif 000004
【図３】
2008138330.tif 000005
【図４】
2008138330.tif 000006
【図５】
2008138330.tif 000007
【図６】
2008138330.tif 000008
【図７】
2008138330.tif 000009